(57)【要約】【課題】壁が石膏ボードや合板の場合、ホースガイドの取り付け部分が緩んだり、近くに壁が無い場合にはホースガイドを取り付けることが出来ないなどの不都合を解消し、壁の存在に依存せずに可撓性配管を保持し、給水栓の開閉に伴う可撓性配管の振動を抑制することに有る。【解決手段】上面に可撓性配管に接続される給水栓を設置する洗面手洗い器であって、洗面手洗い器裏面に、ボウル部の外方に位置する立壁部を設け、この立壁部に可撓性配管が挿通するガイド穴を設け、このガイド穴に可撓性配管を保持し給水栓の開閉に伴う可撓性配管の振動を抑制する。【選択図】図７
2004033264.tif 000002
【特許請求の範囲】
【請求項１】
上面に可撓性配管に接続される給水栓を設置する洗面手洗い器であって、該洗面手洗い器裏面に、ボウル部の外方に位置する立壁部を設け、この立壁部に上記可撓性配管が挿通するガイド穴を設けたことを特徴とする洗面手洗い器。
【請求項２】
上記給水栓が上記立壁部の外側に設置され、上記可撓性配管の上流側を、上記立壁部の外側から内側に向けて上記ガイド穴を挿通させたことを特徴とする請求項１記載の洗面手洗い器。
【発明の詳細な説明】
【０００１】
【発明の属する技術分野】
本発明は、上面に可撓性配管に接続される給水栓を設置する洗面手洗い器に関する。
【０００２】
【従来の技術】
従来の洗面手洗い器は、図９に示す様にその上面に給水栓１５を設け、この給水栓１５と壁等に設けた止水栓１７などとの間を給水管で接続している。この給水・給湯管として以前は銅管やステンレス管などの金属管を用いていたが、止水栓の設置位置がバラバラで、銅管やステンレス管を曲げたり切断して給水栓と止水栓とを接続していたのであるが、施工が大変であり、最近は止水栓の設置位置に対応して屈曲するフレキシブルホースなどの可撓性配管を用いている。この可撓性配管は通水中に給水栓を急閉止すると振動し、騒音が発生したり、給水栓や止水栓との接続部分が外れたりするので、この振動を防ぐために、従来は、ホースガイド２１を壁に取り付け、可撓性配管１４をホースガイド２１に挿通して可撓性配管１４の振動を抑制している。
【０００３】
【発明が解決しようとする課題】
しかしながら、壁が石膏ボードや合板の場合、ホースガイドの取り付け部分が緩んだり、近くに壁が無い場合にはホースガイドを取り付けることが出来ないなどの不都合を生じる。
【０００４】
本発明はこの様な不都合を解消し、壁の存在に依存せずに可撓性配管を保持し、給水栓の開閉に伴う可撓性配管の振動を抑制することに有る。
【０００５】
【課題を解決するための手段】
上記課題を解決するために、本発明においては、上面に可撓性配管に接続される給水栓を設置する洗面手洗い器であって、洗面手洗い器裏面に、ボウル部の外方に位置する立壁部を設け、この立壁部に可撓性配管が挿通するガイド穴を設けたことを特徴としている。
【０００６】
この様に可撓性配管をガイド穴に挿通させて、このガイド穴で可撓性配管を保持したので、壁の存在に依存せずに給水栓の開閉に伴う可撓性配管の振動を抑制出来る。
【０００７】
給水栓が立壁部の外側に設置され、可撓性配管の上流側を、立壁部の外側から内側に向けてガイド穴を挿通させることが好ましく、この様に構成すれば、ボウル部側方に給水栓が位置して結果的に洗面手洗い器の奥行きが短くなってコンパクトな洗面手洗い器にすることが出来、併せて可撓性配管が洗面手洗い器の中央側に位置し、可撓性配管や洗面手洗い器にセットされる排水装置などを覆うカバーの幅を狭くでき、デザイン性に優れたものに出来る。
【０００８】
【実施例】
以下図面に基づいて本発明の洗面手洗い器について説明すると、図１は本発明洗面手洗い器に給水栓をセットした外観斜視図、図２は同洗面手洗い器の正面図、図３は同平面図、図４は同裏面図、図５は同側面図、図６は同中央断面図、図７は同給水栓のセット状態を示す要部の断面図、図８は他の実施例を示す給水栓のセット状態を示す要部の断面図である。
【０００９】
陶器製の洗面手洗い器１は図２、図３に示す様に正面略逆２等辺三角形状で平面は楕円を長手方向に２分割した略半楕円形状を呈し、その表面中央部にはボウル部２が設けられると共にボウル部２開口縁に連なって左右水平方向に延びるカウンター面３が設けられており、このカウンター面３にはボウル部２の斜め奥側近傍に取付穴４が開設されている。
【００１０】
又、図４に示す様に洗面手洗い器１の裏面には中空状の立壁部５がカウンター面３裏面より垂下して設けられ、この立壁部５によりボウル部２底部周縁を囲み、ペデスタルカバー６上端部がはまり込む第１の凹部７とこの第１の凹部７の左右両側には第１の凹部７を挟んで対象状に第２の凹部８と第３の凹部９が形成されている。
【００１１】
ペデスタルカバー６は例えば陶器製で、背面を開口した逆Ｕ字状を呈した縦長で床面上に載置され、その上端部は第１の凹部７に嵌まり込んでいる。
【００１２】
第１の凹部７には、図４に示す様に略半円形状を呈し、後方には図７に示す様に立壁部５の中途部からボウル部２底部後方に連なる水平壁部１０が設けられ、図６に示す様にボウル部２の後方に開設した排水口１１は第１の凹部７に連なっている。
【００１３】
第２の凹部８には取付穴４が連なると共に、図５、図７に示す様に第１の凹部７と第２の凹部８を区画する立壁部５の中途部に第１のガイド穴１２が開設され、水平壁部１０には立壁部５と離隔して第２のガイド穴１３が開設されており、これら第１のガイド穴１２、第２のガイド穴１３、取付穴４は、洗面手洗い器１の背面と平行の略同一平面上に位置している。
【００１４】
洗面手洗い器１のカウンター面３に開設した取付穴４には給水用の可撓性配管１４に接続された給水栓１５がボウル部２に臨んでボウル部２の後方に片寄せて設置される。
【００１５】
給水栓１５は、この実施例ではセンサーなどで手を検知して検知中吐水する自動水栓であって、図７に示す様に取付穴４周縁部を挟む様に取付ナット１６で固定されると共に、この給水栓１５に一体的に接続されたビニールホース等からなる可撓性配管１４が、その上流側開放端を、第２の凹部８から第１の凹部７に向かって第１のガイド穴１２を挿通し、更に水平壁部１０の上方から下方に向って第２のガイド穴１３を挿通し、その先端部は壁面に取り付け固定された止水栓１７付きの電磁弁ユニット１８に接続されている。
【００１６】
又、排水口１１には排水管などの排水装置１９が接続され、排水装置１９、可撓性配管１４上流側、電磁弁ユニット１８、止水栓１７などはカバー６内に配設され、カバー６で覆われる。
【００１７】
而して、可撓性配管１４を立壁部５のガイド穴１２に挿通させて、このガイド穴１２で可撓性配管１４を保持しているので、壁面の存在に依存せずに給水栓１５の開閉に伴う可撓性配管１４の振動を抑制出来る。
【００１８】
本実施例のように、給水栓１５を立壁部５の外側に設置し、可撓性配管１４の上流側を、立壁部５の外側から内側に向けてガイド穴１２を挿通させているので、ボウル部２側方に給水栓１５を位置させることが出来、結果的に洗面手洗い器１の奥行きが短くなってコンパクトな洗面手洗い器１に出来る。
【００１９】
併せて可撓性配管１４が洗面手洗い器１の中央側に延び、洗面手洗い器１にセットされる排水装置１９などを覆うカバー６内に可撓性配管１４を導くことが出来、止水栓１７、電磁弁ユニット１８等をカバー６内に納めることや、給水栓１５の取付ナット１６及び給水栓１５と可撓性配管１４との接続部分が第２の凹部８内に位置しており、正面から見て排水装置１９、可撓性配管１４、給水栓１５の取付ナット１６、及び給水栓１５と可撓性配管１４との接続部分などが正面から見て露出せず、デザイン性に優れたものになる。
【００２０】
併せて、排水装置１９に近づけて止水栓１７、電磁弁ユニット１８等を設置でき、カバー６の幅を狭くすることが可能になる。
【００２１】
尚、可撓性配管１４金属管と比べ外観的に見劣りするうえ、可撓性配管１４はエッジに弱く、露出状態で設置されると刃物等で切断される恐れが有るなどの欠点もあるが、本実施例のように可撓性配管１４を、ガイド穴１２、ガイド穴１３を通じてカバー６内に導き、止水栓１７や電磁弁ユニット１８等をカバー６内に納めることによりこれらが露出せず、可撓性配管１４の欠点を解消でき、且つデザイン的に優れたものになる。
【００２２】
勿論、図８に示す様に継手２０を用いて、可撓性配管１４や従来の金属製給水管を、ガイド穴１２、ガイド穴１３を通してカバー６内に導きカバー６内に納めることにより、これらが正面から見て露出せず、デザイン的に優れたものになる。
【００２３】
本発明は上述の実施例に限定されること無く種々の変形が可能であり、例えば洗面手洗い器の材質は陶器のほかホーロー製、樹脂製などであっても良い。
【００２４】
又、カウンター面はボウル部の両側に設けず、給水栓が取り付けられる片側だけに設けても良いし、給水栓をボウル部後方に設置する場合は、カウンター面はなくても良い。
【００２５】
勿論、ボウル部を挟んで両側に水用、湯用の給水栓を設ける場合は、夫々に給水栓の取付穴、その下方に対応する凹部の立壁部にガイド穴を設ければ良い。
【００２６】
更に、水平壁部は必ずしも必要ではなく、ガイド穴付きの立壁部のみで良く、ガイド穴付き立壁部を通常の洗面手洗い器裏面に後付けで接着しても良い。
【図面の簡単な説明】
【図１】発明洗面手洗い器に給水栓をセットした外観斜視図である。
【図２】同洗面手洗い器の正面図である。
【図３】同洗面手洗い器の平面図である。
【図４】同洗面手洗い器の裏面図である。
【図５】同洗面手洗い器の側面図である。
【図６】同洗面手洗い器の中央断面図である。
【図７】同洗面手洗い器に給水栓をセットした状態を示す要部の断面図である。
【図８】同洗面手洗い器に給水栓をセットした状態を示す要部の断面図である。
【図９】従来例を示す外観斜視図である。
【符号の説明】
１：洗面手洗い器
２：ボウル部
３：カウンター面
４：取付穴
５：立壁部
６：カバー
７：第１の凹部
８：第２の凹部
９：第３の凹部
１０：水平壁部
１１：排水口
１２：第１のガイド穴
１３：第２のガイド穴
１４：可撓性配管
１５：給水栓
１６：取付ナット
１７：止水栓
１８：電磁弁ユニット
１９：排水装置
２０：継手
２１：ホースガイド
【図１】
2004033264.tif 000003
【図２】
2004033264.tif 000004
【図３】
2004033264.tif 000005
【図４】
2004033264.tif 000006
【図５】
2004033264.tif 000007
【図６】
2004033264.tif 000008
【図７】
2004033264.tif 000009
【図８】
2004033264.tif 000010
【図９】
2004033264.tif 000011